【事件の表示】
　特願２００１−５６８６４０「デジタル無線ネットワーク上でのデータ通信用音声帯域モデム」拒絶査定不服審判事件〔平成１３年　９月２７日国際公開、ＷＯ０１／７２０６７、平成１５年１１月１１日国内公表、特表２００３−５３３９０８〕について、次のとおり審決する。
【結　論】
　本件審判の請求は、成り立たない。
【理　由】
Ｉ．手続の経緯
　本願は、２０００年５月１５日（パリ条約による優先権主張２０００年３月２１日、米国）を国際出願日とする出願であって、平成２０年１２月２４日付けの拒絶の理由の通知に対して、平成２１年４月３日付けで意見書が提出されるとともに、手続補正がなされたが、同年７月６日付けで拒絶査定がなされ、これに対し、同年１１月１６日に拒絶査定に対する審判請求がなされるとともに、手続補正がなされたものである。
　
ＩＩ．平成２１年１１月１６日付けの手続補正についての補正却下の決定
［補正却下の決定の結論］
　平成２１年１１月１６日付けの手続補正を却下する。
　
［理由］
１．補正前・補正後の本願発明
　本件補正により、少なくとも特許請求の範囲の請求項４４は、次のように補正された。なお、下線部は補正された箇所を示す。
　
〈補正前〉
「セルラー式電話機のデータを送信する方法であって、
　前記セルラー式電話機の番号を呼び出し、
　前記セルラー式電話機の音声チャネル上で、呼び出された番号の音声接続を確立し、
　前記セルラー式電話機のモデムを起動して、デジタルデータをデータトーンに変換し、
　前記呼び出された番号に対するデータトーンを伝送するために、前記セルラー式電話機の切替回路を起動して、前記モデムを前記音声チャネルに接続することを特徴とする方法。」
　
〈補正後〉
「セルラー式電話機のデータを送信する方法であって、
　前記セルラー式電話機の番号を呼び出し、
　前記セルラー式電話機の音声チャネル上で、呼び出された番号の音声接続を確立し、
　前記セルラー式電話機のモデムを起動して、デジタルデータを
、前記音声チャネル上にて前記デジタルデータが劣化するのを防止するために、人間の音声の周波数帯域へと合成した
　前記呼び出された番号に対するデータトーンを伝送するために、前記セルラー式電話機の切替回路を起動して、前記モデムを前記音声チャネルに接続することを特徴とする方法。」
　
　本件補正は、
　
　補正前の請求項４４に記載した発明を特定するために必要な事項である「データトーン」について、「前記音声チャネル上にて前記デジタルデータが劣化するのを防止するために、人間の音声の周波数帯域へと合成したデータトーン」と限定するものであるから、本件補正は特許法第１７条の２第４項第２号の特許請求の範囲の減縮を目的とするものに該当する。
　
　そこで、本願の補正後の請求項４４に係る発明（以下、「本願補正発明」という。）が特許出願の際独立して特許を受けることができるものであるか（特許法第１７条の２第５項において準用する同法第１２６条第５項の規定に適合するか）について以下に検討する。）
　
２．引用例
　原査定の拒絶の理由に引用された米国特許第５７８６７８９号明細書（以下、「引用例１」という。）には、図面とともに、以下の事項が記載されている。
　
Ａ．「FIG. 8 shows a perspective view of an add-on module 124 attached to the cellular telephone device 120 in accordance with the present invention. The add-on module 124 is inserted into the cavity 122 of the cellular telephone device 120. The cellular telephone device 120 includes a keyboard having keys (typically shown as 123) and a display screen 126. In addition to supplying power to the cellular telephone device 120 via, for example, a battery pack, add-on module 124 also includes a built in GPS receiver device. The cellular telephone device 120 is adapted to receive either a standard battery pack or a combined power source and a GPS receiver as embodied in the add-on module 124. Thus, the add-on module 124 allows a user to obtain standard GPS position location information.
　In the present embodiment, the GPS receiver of the add-on module 124 has no controls or display screen. The cellular telephone keys (typically shown as 123) are used as control keys in combination with a display screen 126. All of the GPS information is displayed on the display screen 126 of the cellular telephone device 120. The present invention is also well suited to having such control and display features included in the add-on module 124. In the present invention, the cellular telephone device 120 can transmit position location information obtained from the GPS receiver of the add-on module 124. In so doing, a user of cellular telephone device 120 has his or her position location information transmitted by cellular telephone device 120 to an interested party. The present invention is also well suited to having position location information obtained from the GPS receiver of add-on module 124 automatically transmitted, via the cellular telephone device 120, to an interested party.」（第５欄５０行〜第６欄１４行）
（当審訳：図８は、現在の発明に従ってセルラー電話装置１２０に付けられた、アドオン・モジュール１２４の透視図を示す。アドオン・モジュール１２４はセルラー電話装置１２０の空洞１２２に挿入される。セルラー電話装置１２０は、キー（典型的に１２３として示される）を持つキーボード、およびディスプレイ・スクリーン１２６を含んでいる。アドオン・モジュール１２４は、セルラー電話装置１２０への電力供給（例えばバッテリーパックによる）に加えて、ビルトインＧＰＳレシーバー装置を含んでいる。セルラー電話装置１２０は、標準バッテリーパック、あるいは、アドオン・モジュール１２４としてまとめられるような電力源とＧＰＳレシーバーを結合したもののいずれかを収容できる。したがって、アドオン・モジュール１２４は、ユーザが標準のＧＰＳ位置情報を得ることを可能にする。
　本実施例では、アドオン・モジュール１２４のＧＰＳのレシーバーは、制御部やディスプレイ・スクリーンを有していない。携帯電話のキー（典型的に１２３として示される）は、ディスプレイ・スクリーン１２６と結合してコントロールキーとして使用される。ＧＰＳの情報はすべて、セルラー電話装置１２０のディスプレイ・スクリーン１２６に表示される。本発明は、また、アドオン・モジュール１２４にそのような制御部とディスプレイを含ませることもできる。本発明は、セルラー電話装置１２０は、アドオン・モジュール１２４のＧＰＳのレシーバーから得られた位置情報を送信することができる。その場合、セルラー電話装置１２０のユーザはセルラー電話装置１２０によってユーザの位置情報を関係者に送信する。本発明は、また、セルラー電話装置１２０にアドオン・モジュール１２４のＧＰＳのレシーバーから得た位置情報を関係者に自動的に送信させるようにすることもできる。）
　
Ｂ．「FIG. 9 shows a schematic diagram illustrating the interconnections between the cellular telephone device 120 and the add-on module 124 is shown. The cellular telephone device 120 typically includes such features as a display 126, a keyboard 128 with keys 123, a speaker 129, a microphone 130, a microprocessor 132, a transmitter circuit 134, a receiver circuit 136, and a duplexer circuit 138.
　The add-on module 124 includes a GPS device 140 including a microprocessor 142, a modem circuit 144, and a power/battery source 146. The interconnections between the cellular telephone device 120 and the add-on module 124 are completed in the present embodiment through a control bus 150, 152, I/O data lines 154, 156, and a power bus 158. Power bus 158 provides power from the power/battery source 146 to GPS device 140. These power/battery source 146 also provides power to the cellular telephone portion. The control connections between the cellular telephone device 120 and the add-on module 124 are accomplished using two UARTs 160, 162, control buses 150, 152 connect the keyboard 128 of the cellular telephone device 120 through the microprocessor 132 to the microprocessor 142 of the GPS device 140. In this manner, the standard functions necessary to operate the GPS device 140 of the add-on module 124 are controlled through the keyboard 128 of the cellular telephone device 120. I/O data is transferred between the cellular telephone device 120 and the add-on module 124 via the modem circuit 144 and the I/O data lines 154, 156. In so doing, data can be transferred in suitable format from either the cellular telephone device 120 to the add-on module 124, or from the add-on module 124 to the cellular telephone device 120. The add-on module 124 also includes a UART 166 disposed between the microprocessor 142 of the GPS device 140 and the modem 144 of add-on module 124. Although the present embodiment shows the UART 166 separate from the microprocessor 142, the present invention is also well suited to directing signals into a microprocessor which has a UART contained therein.」（第６欄３４行〜第７欄３行）
（当審訳：図９は、セルラー電話装置１２０とアドオン・モジュール１２４間の相互接続を説明する概略図を示す。セルラー電話装置１２０は、典型的にはディスプレイ１２６、キー１２３を備えたキーボード１２８、スピーカー１２９、マイクロホン１３０、マイクロプロセッサー１３２、送信機回路１３４、受信機回路１３６およびデュプレクサー回路１３８のような構成を有している。
　アドオン・モジュール１２４は、マイクロプロセッサー１４２、モデム回路１４４およびパワー／バッテリー源１４６を含むＧＰＳ装置１４０を含んでいる。セルラー電話装置１２０とアドオン・モジュール１２４の間の相互接続は、制御バス１５０、１５２、Ｉ／Ｏデータ・ライン１５４、１５６、およびパワー・バス１５８によって本実施例中で実現される。パワー・バス１５８は、ＧＰＳ装置１４０にパワー／バッテリー源１４６からのパワーを供給する。これらのパワー／バッテリー源１４６は、さらに携帯電話部分にパワーを供給する。セルラー電話装置１２０とアドオン・モジュール１２４の間のコントロール接続は、２つのＵＡＲＴ　１６０、１６２、マイクロプロセッサー１３２とＧＰＳ装置１４０のマイクロプロセッサー１４２を介してセルラー電話装置１２０のキーボード１２８を接続する制御バス１５０および１５２を使用して実現される。このように、アドオン・モジュール１２４のＧＰＳ装置１４０を操作するのに必要な標準機能は、セルラー電話装置１２０のキーボード１２８によってコントロールされる。Ｉ／Ｏデータは、モデム回路１４４とＩ／Ｏデータ・ライン１５４、１５６を介してセルラー電話装置１２０とアドオン・モジュール１２４の間で転送される。その場合、データは、適切なフォーマットで、セルラー電話装置１２０からアドオン・モジュール１２４まで、あるいはアドオン・モジュール１２４からセルラー電話装置１２０までのどちらかで転送することができる。アドオン・モジュール１２４は、さらにＧＰＳ装置１４０のマイクロプロセッサー１４２とアドオン・モジュール１２４のモデム１４４の間に配置されたＵＡＲＴ　１６６を含んでいる。本実施例はマイクロプロセッサー１４２と離れているＵＡＲＴ　１６６を示すが、本発明は、またそこにＵＡＲＴを含むマイクロプロセッサーに信号を入力することもできる。）
　
Ｃ．「Referring again to FIG. 9 in the present embodiment, interconnections between lines 154, 156 of the add-on module 124 and the receiver 136 and the transmitter 134 are accomplished using switches 172, 174. That is, if data from GPS device 140 is to be transmitted to cellular telephone device 120, each of the switches 172, 174 contact point D. However, when the cellular telephone device 120 is operating in normal voice mode, the switches 172, 174 contact point V. Although the present embodiment employs switches 172, 174, the present invention is also well suited to using other connection methods.」（第７欄３１行〜４１行）
（当審訳：本実施例の図９を再び参照すると、アドオン・モジュール１２４のライン１５４、１５６と、受信機１３６および送信機１３４との間の相互接続はスイッチ１７２および１７４を使用して実現される。すなわち、ＧＰＳの装置１４０からのデータがセルラー電話装置１２０に送信される場合、スイッチ１７２および１７４の各々は接点「Ｄ」に接続される。しかしながら、セルラー電話装置１２０が正常な音声モードで作動している場合、スイッチ１７２と１７４は接点「Ｖ」に接続される。本実施例はスイッチ１７２、１７４を使用するが、本発明は他の接続方法を使用することもできる。）
　
Ｄ．引用例１のＦｉｇｕｒｅ　９から、セルラー電話装置１２０の接点「Ｖ」が、ラインを介してスピーカ１２９とマイク１３０に接続され、アドオン・モジュール１２４の接点「Ｄ」がモデム回路１４４に接続されていることが読み取れる。（審決注：Ｆｉｇｕｒｅ　９の、モデム回路１４４のＩ／Ｏデータラインの参照番号「１７６」は明細書中に「１７６」の記載がない一方、「Ｉ／Ｏデータライン１５４」と記載されていることから、「１５４」の誤記と認める。）
　
　以上のことから、引用例１には、次の発明（以下、「引用発明」という。）が記載されている。
　
「セルラー電話装置１２０は、典型的にはディスプレイ１２６、キー１２３を備えたキーボード１２８、スピーカー１２９、マイクロホン１３０、マイクロプロセッサー１３２、送信機回路１３４、受信機回路１３６およびデュプレクサー回路１３８のような構成を有し、アドオン・モジュール１２４は、マイクロプロセッサー１４２、モデム回路１４４およびパワー／バッテリー源１４６を含むＧＰＳ装置１４０を含み、Ｉ／Ｏデータは、モデム回路１４４とＩ／Ｏデータ・ライン１５４、１５６を介してセルラー電話装置１２０とアドオン・モジュール１２４の間で転送され、その場合、データを、適切なフォーマットでセルラー電話装置１２０からアドオン・モジュール１２４まで、あるいはアドオン・モジュール１２４からセルラー電話装置１２０までのどちらかで転送することができ、
　アドオン・モジュール１２４は、ユーザが標準のＧＰＳ位置情報を得ることを可能とし、セルラー電話装置１２０は、アドオン・モジュール１２４のＧＰＳのレシーバーから得られた位置情報を送信することができ、その場合、セルラー電話装置１２０のユーザはセルラー電話装置１２０によって位置情報を関係者に送信し、
　アドオン・モジュール１２４のライン１５４、１５６と、受信機１３６および送信機１３４との間の相互接続はスイッチ１７２および１７４を使用して実現され、ＧＰＳの装置１４０からのデータがセルラー電話装置１２０に送信される場合、スイッチ１７２および１７４の各々はモデム回路１４４に接続する接点「Ｄ」に接続され、セルラー電話装置１２０が正常な音声モードで作動している場合、スイッチ１７２と１７４は、ラインを介してスピーカ１２９とマイク１３０に接続する接点「Ｖ」に接続されるアドオン・モジュール１２４を収容したセルラー電話装置１２０。」
　
３．対比
　本願補正発明と引用発明とを対比する。
　
　引用発明の「アドオン・モジュール１２４を収容したセルラー電話装置１２０」は、本願補正発明の「セルラー式電話機」に相当する。引用発明において、「セルラー電話装置１２０」は、「アドオン・モジュール１２４のＧＰＳのレシーバーから得られた位置情報を送信することができ」、「ＧＰＳの装置１４０からのデータがセルラー電話装置１２０に送信される場合、スイッチ１７２および１７４の各々はモデム回路１４４に接続する接点「Ｄ」に接続され」るので、引用発明は、セルラー式電話機のデータを送信する方法といえる。
　
　引用発明の「モデム回路１４４」は、本願補正発明の「モデム」に相当する。そして、引用発明において、データを送信する際には、モデム回路１４４が使用されるので、モデム回路が起動されていることは明らかである。さらに、電話通信の技術分野において、モデムは、デジタルデータを電話回線で送信可能な変調信号へ変換するものであることは技術常識であり、引用発明は、セルラー式電話機のモデムを起動して、デジタルデータを変調信号に変換しているといえる。
　
　引用発明において、「アドオン・モジュール１２４のライン１５４、１５６と、受信機１３６および送信機１３４との間の相互接続はスイッチ１７２および１７４を使用して実現され、ＧＰＳの装置１４０からのデータがセルラー電話装置１２０に送信される場合、スイッチ１７２および１７４の各々はモデム回路１４４に接続する接点「Ｄ」に接続され、セルラー電話装置１２０が正常な音声モードで作動している場合、スイッチ１７２と１７４は」「接点「Ｖ」に接続される」ので、引用発明の「スイッチ１７２および１７４」は、本願発明の「切替回路」に相当し、「ＧＰＳの装置１４０からのデータがセルラー電話装置１２０に送信される場合、スイッチ１７２および１７４の各々は接点「Ｄ」に接続され」るので、引用発明は、モデム回路１４４からの変調信号を伝送するために切替回路を起動しているといえる。
　
　したがって、両者は、
「セルラー式電話機のデータを送信する方法であって、
　前記セルラー式電話機のモデムを起動して、デジタルデータを変調信号に変換し、
　変調信号を伝送するために、前記セルラー式電話機の切替回路を起動することを特徴とする方法。」
で、一致するものであり、次の点で相違している。
　
［相違点１］
　本願補正発明は、セルラー式電話機の番号を呼び出し、前記セルラー式電話機の音声チャネル上で、呼び出された番号の音声接続を確立するのに対し、引用発明は、「セルラー電話装置１２０のユーザはセルラー電話装置１２０によってユーザの位置情報を関係者に送信」するものではあるものの、セルラー式電話機の番号を呼び出し、前記セルラー式電話機の音声チャネル上で、呼び出された番号の音声接続を確立するのか明らかではない点。
　
［相違点２］
　本願補正発明は、デジタルデータを、前記音声チャネル上にて前記デジタルデータが劣化するのを防止するために、人間の音声の周波数帯域へと合成したデータトーンに変換するのに対し、引用発明は、デジタルデータがモデムに入力されて変調信号に変換されるものの、音声チャネル上にて前記デジタルデータが劣化するのを防止するために、人間の音声の周波数帯域へと合成したデータトーンに変換するのか明らかでない点。
　
［相違点３］
　本願補正発明は、前記セルラー式電話機の切替回路を起動して、前記モデムを前記音声チャネルに接続するのに対し、引用発明は、スイッチ１７２および１７４（本願補正発明の「切替回路」に相当する。）を有し、それらが起動することは明らかであるものの、モデムを前記音声チャネルに接続するか明らかではない点。
　
［相違点４］
　本願補正発明は、呼び出された番号に対するデータトーンを伝送するために、前記モデムを前記音声チャネルに接続するのに対し、引用発明は、「セルラー電話装置１２０のユーザはセルラー電話装置１２０によってユーザの位置情報を関係者に送信」するものではあるものの、呼び出された番号に対するデータトーンを伝送するためかどうか明らかではない点。
　
４．判断
　上記相違点について検討する。
　
［相違点１］
　セルラー電話において、通話相手と通話する際には、相手の番号を呼び出し、呼び出された番号の音声接続を確立して、通話を行うことは技術常識である。また、接続を確立した音声通信経路でデータ通信を行うことは周知技術（例えば、米国特許第５６２５６７９号明細書の第１欄２０行〜５７行には、相手のコンピュータにデータを送りたい場合、会話を終了して、音声モードからデータモードに切り替えてモデムを電話回線へ接続するＡＶＤ（Alternating Voice-Data）モデムに関する技術が記載され、米国特許第５８０２５２６号明細書の第６欄５０行〜第７欄１８行には、音声又はデータのどちらかを切り替えて送るＡＶＤモデムや、音声とデータを同時に送るＳＶＤ（Simultaneous Voice and Data）モデムが記載され、サポートセンターに電話をかけて、データの通信パスを音声回線上にセットアップして、モデムでサポートセンターとの音声接続と、データの送受信を同じ電話回線上で行うことを可能にすることが記載され、特開平８−２５６２２５の【０００１】段落には、３００〜３，４００Ｈｚの伝送帯域を有する電話チャネルを使って、音声信号とモデム信号を同時に伝送することが記載されている。）である。
　そして、引用発明において、「セルラー電話装置１２０のユーザはセルラー電話装置１２０によってユーザの位置情報を関係者に送信」するものであり、この関係者の通信手段としてどのようなものを採用するかは当業者の設計的事項であるので、引用発明において、関係者の通信手段を周知のセルラー式電話機として、位置情報を関係者に送信する際に、関係者のセルラー式電話機の番号を呼び出し、前記セルラー式電話機の音声チャネル上で、呼び出された番号の音声接続を確立してから、ユーザの位置情報を関係者に送信することは当業者が容易に想到し得たものである。
　
［相違点２］
　音声用の電話回線は人間の音声の周波数帯域に帯域制限されているので、デジタルデータを電話回線で送信するために、デジタルデータをモデムで変調して電話回線の帯域幅に適合するトーン等のアナログ信号（みなし音声）に変換して送信することは、周知技術（例えば、
　特表平７−５０６２２９号公報の第２頁左下欄７行〜２５行には、「音声帯域の電話線は帯域幅が制限されているので、ディジタル信号を送るために直接使用することはできない。しかし、まず最初にこの信号を周波数が音声電話線の帯域幅に適合するアナログ信号に変換すれば、その電話線はディジタル信号を送るために使用することができる。そのような変換は、一般に変調器−復調器、または略して「モデム」として知られるデータ通信アダプタで行われる。モデムは、ディジタル計算機からのディジタル・データを音声の電話線上の伝送に適合したアナログ信号に変換し、また同様に、受信されたアナログ信号をディジタル計算機での使用に適合したディジタル・データに変換する。種々の変調技術の中でも、ビットレートが１８００ｂｐｓ未満（１秒当たりのビット数）の中低速度で動作するモデムに対しては、周波変調（ＦＭ）の一つであり、周波変換キーイング（ＦＳＫ）として知られる技術が非常に一般的である。ＦＳＫでは、「０」（またはスペース）と「１」（またはマーク）のビットを表わすために、２つの異なる周波数トーンが用いられる。」と記載され、
　特開平５−２３１８７５号公報の【０００３】、【０００４】段落には、「ディジタル信号を、電話回線のようなアナログ通信回線を使って伝送するためには、通信回線に対応して、ディジタル信号をアナログ信号に変換しなければならない。また、受信側では受信したアナログ信号を元のディジタル信号に変換しなければならない。これらの変換を、それぞれ変調，復調と呼び、このための変換装置がモデム（変復調装置）であり、データ伝送の需要の高まりとともに、変復調技術も周波数変調（ＦＭ，ＦＳＫ），位相変調（ＰＭ，ＰＳＫ），直交振幅変調（ＱＡＭ）と進歩を遂げた。」「周波数変調方式で、たとえば３００ｂｉｔ／ｓ全二重モデムの場合は、上り回線には１８５０Ｈｚと１６５０Ｈｚの二つの周波数を割り当て、「０」には１８５０Ｈｚ、「１」には１６５０Ｈｚを対応させている。また、下り回線には、「０」に９８０Ｈｚ、「１」に１１８０Ｈｚを対応させている。」と記載され、
　特開平１１−２３９０９２号公報の【０００３】段落には、「携帯電話や簡易型携帯電話であるＰＨＳ端末などの無線電話の音声帯域で通常のモデムを用いた“みなし音声”によるデータ通信も行われている」ことが記載され、
　また、原査定の拒絶の理由に引用された特開平１１−３５５８５７号公報の【０００４】、【０００５】段落には、「デジタルセルラーアダプタ３を用いてデータ通信を行うには、音声帯域モードとデジタルモードとがあり、音声帯域モードでデータ通信を行う場合は、デジタルセルラーアダプタ３に内蔵されるモデム４によって情報処理装置１からのデジタルデータ信号をアナログ信号に変換し、ＰＣＭコーデック５で再びデジタル信号に変換し、さらにデジタル携帯電話２に内蔵されるＡＤＰＣＭコーデック６で符号化してデータ圧縮して無線部７から基地局８に無線電送路を介して通信データを送信する」ことが記載されている。
）である。そして、このようにモデムでデジタルデータを変換するのは、変換した変調信号が音声帯域内で伝送されることにより、当然送信するデジタルデータが劣化するのを防止することを目的としている。したがって、引用発明において、モデム回路１４４で、デジタルデータを、前記音声チャネル上にて前記デジタルデータが劣化するのを防止するために、人間の音声の周波数帯域へと合成したデータトーンに変換することは当業者が容易に想到し得たものである。
　
［相違点３］
　引用発明において、「アドオン・モジュール１２４のライン１５４、１５６と、受信機１３６および送信機１３４との間の相互接続はスイッチ１７２および１７４を使用して実現され」、「ＧＰＳの装置１４０からのデータがセルラー電話装置１２０に送信されることになっている場合、スイッチ１７２および１７４の各々はモデム回路１４４に接続する接点「Ｄ」に接続され」、「セルラー電話装置１２０が正常な音声モードで作動している場合、スイッチ１７２と１７４は、ラインを介してスピーカ１２９とマイク１３０に接続する接点「Ｖ」に接続される」、すなわち、音声モードで作動している場合は、スピーカ１２９とマイク１３０はスイッチ１７２および１７４の接点「Ｖ」を介して、受信機１３６および送信機１３４に接続されることから、受信機１３６および送信機１３４とそれらに接続されるスイッチ１７２と１７４には音声信号が伝送されると解される。また、一般に電話通信において、モデムはデジタル信号と音声用電話回線で送受信できるアナログ信号とを変換するものであるので、引用発明において、受信機１３６および送信機１３４を、音声信号を送受信するための音声チャネルに接続する受信機１３６および送信機１３４とし、スイッチ１７２および１７４の各々を接点「Ｄ」に接続するときに、モデム回路１４４を受信機１３６および送信機１３４を介して音声チャネルに接続することは当業者が容易に想到し得たものである。
　
［相違点４］
　相違点１の検討で述べたように、セルラー電話において、通話相手と通話する際には、相手の番号を呼び出し、呼び出された番号の音声接続を確立して、通話を行うことは技術常識であるので、引用発明において、ユーザの位置情報を送信する関係者の番号を呼びだし、その番号に位置情報を送信するために、相違点３のようにモデム回路１４４を音声チャネルに接続することは当業者が容易に想到し得たものである。
　
　そして、本願補正発明の作用効果も、引用発明及び周知技術から当業者が予測できる範囲のものである。
　
　したがって、本願補正発明は引用発明及び周知技術に基づいて当業者が容易に発明をすることができたものであるから、特許法第２９条第２項の規定により、特許出願の際独立して特許を受けることができない。
　
５．むすび
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。　
　
ＩＩＩ．本願発明について
　
１．本願発明
　平成２１年１１月１６日付けの手続補正は上記のとおり却下されたので、本願の請求項４４に係る発明（以下、「本願発明という。」）は、平成２１年４月３日付け手続補正書の特許請求の範囲の請求項４４に記載された事項により特定される以下のとおりのものである。
　
「セルラー式電話機のデータを送信する方法であって、
　前記セルラー式電話機の番号を呼び出し、
　前記セルラー式電話機の音声チャネル上で、呼び出された番号の音声接続を確立し、
　前記セルラー式電話機のモデムを起動して、デジタルデータをデータトーンに変換し、
　前記呼び出された番号に対するデータトーンを伝送するために、前記セルラー式電話機の切替回路を起動して、前記モデムを前記音声チャネルに接続することを特徴とする方法。」
　
２．引用例　
　引用例の記載事項は、前記「ＩＩ．２」に記載したとおりである。　
　
３．対比・判断
　本願発明は、前記「ＩＩ」で検討した本願補正発明の「データトーン」について、「前記音声チャネル上にて前記デジタルデータが劣化するのを防止するために、人間の音声の周波数帯域へと合成した」との限定を省いたものである。
　
　そうすると、本願発明の構成要素をすべて含み、さらに限定を付したものに相当する本願補正発明が、前記ＩＩ．４に記載したとおり、引用発明及び周知技術に基づいて、当業者が容易に発明をすることができたものであるから、本願発明も同様の理由により、上記引用発明及び周知技術に記載された事項に基づいて、当業者が容易に発明をすることができたものである。
　
４．むすび
　以上のとおり、本願の請求項４４に係る発明は、引用発明及び周知技術に基づいて、当業者が容易に発明をすることができたものであるから、特許法第２９条第２項の規定により特許を受けることができない。
　
　したがって、その余の請求項について論及するまでもなく、本願は、拒絶すべきものである。
　
　よって、結論のとおり審決する。